(57)【要約】本発明は、Ｘ線検査のシリーズを自動的に行うためにデザインされたＸ線検査装置に関する。本装置におけるこの自動工程は、検査のすべてのフェーズに関連しており、Ｘ線装置の出力セッティング、Ｘ線テーブルのパラメーターセッティング、実行される検査のタイプ、並びにレポート及び保管機能を含んでいる。本発明における装置はまた、例えば、身元、体重及び検査される体部分などの検査される患者に特異的なデーターにも配慮されている。
2004526542.tif 000002
【特許請求の範囲】
【請求項１】
コンピューター；及び
前記コンピューターに結合した部材；
で構成され、
前記部材は、Ｘ線源、コリメーター、診察台、検出器、画像加工部材、少なくとも一つのモニター、ユーザーインターフェース、保管部品、及びプリンターを含む部材のグループより選ばれた部材であり；
前記コンピューターは、前記Ｘ線源及び前記診察台に関するセッティングを保管するためのデーターベースを供され、かつ該データーベースから取得したセッティングを実行するための調節部品を供され；
前記データーベースは、患者特異的データー及び検査特異的データーを含み；
前記コンピューターは、前記データーベースから取得した前記患者特異的データー及び前記検査特異的データーに依存して、所定の検査プログラムを実行するためにアレンジされ；
前記調節部材は、前記データーベースから取得した前記患者特異的データー及び前記検査特異的データーに依存して、前記グループから選ばれた部材に関するセッティングを実行する；
ことで特徴づけられる装置を含む、Ｘ線画像又はＸ線透過画像又はこれらの類似物を形成するためのコンピューター制御された装置。
【請求項２】
前記ユーザーインターフェースは、前記患者特異的データー及び前記検査特異的データーに依存して、使用者にコンピューター制御された指示を与えるためにアレンジされ、かつ、該指示は、前記所定の検査プログラムの実行を参照することで特徴付けられる、請求項１に記載の装置。
【請求項３】
前記所定の検査プログラムに依存して、リアルタイム画像、及び／又は少なくとも一つのプリンター、及び／又は保管のための少なくとも一つの画像を供するように、前記コンピューターは、任意で、前記の少なくとも一つのモニター、前記保管部品、又は前記プリンターを制御することを特徴とする請求項１又は２に記載の装置。
【請求項４】
前記所定の検査プログラムに依存して、前記コンピューターは、形成された画像の選択を含むレポートを選抜するためにアレンジされることを特徴とする請求項３に記載の装置。
【請求項５】
前記患者特異的データーは、検査される患者の身元、生理学的特徴、及び体部分に関連する情報を含むことを特徴とする請求項１乃至４のいずれか一項に記載の装置。
【請求項６】
前記検査特異的データーは、検査の時間、並びにＸ線源、検出器、及び診察台に関する前もったセッティング、並びに実行される検査プログラムに関連した情報を含むことを特徴とする請求項１乃至５のいずれか一項に記載の装置。
【発明の詳細な説明】
【０００１】
本発明は、Ｘ線画像又はＸ線透視画像又はそれの類似物を形成するためのコンピューター制御された装置に関し、該装置は、コンピューター、コンピューターを接続された部材で、該部材は、Ｘ線源、コリメーター、診察台、検出器、画像加工部品、少なくとも一つのモニター、ユーザーインターフェース、保管部品、及びプリンターを含む部材のグループから選択される。前記コンピューターは、Ｘ線源及び診察台に関するセッティングを保管するためのデーターベース、並びに前記データーベースから取得したこれらセッティングを行うための制御部材を供されている。しかしながら、この種の装置は、超音波による検討を実行するためにアレンジされてもよいことを記すべきである。
【０００２】
公知であるこの種の装置は、独国特許発明第Ａ１９６２５４１０号明細書にて知られている。
【０００３】
公知の装置では、ユーザー特異的に好ましいセッティングに依存して、Ｘ線源及び診察台に関するセッティングを供する。このような好ましいセッティングは、例えば、読取装置に導入可能なチップカード上に保存されてもよく、その後、Ｘ線源及び診察台は、好ましいデーターによって、適合的に調節可能である。
【０００４】
米国特許第Ａ３９３２７５９号明細書では、Ｘ線検査を実施するための装置に関し開示しており、放射強度などのＸ線曝露に関連したパラメーターセッティングが、検査する患者の臓器の機能としてあらかじめプログラムされている。
【０００５】
このような公知の装置の欠点には、装置の使用者における任務を容易にする長く切実な要求があるにもかかわらず、患者の検査を実行するために、実に多くの動作がいまだ必要であるということである。
【０００６】
本発明の目的は、このような状況を改善し、かつ、導入部に開示したこの種の装置における使用者の任務を容易にすることである。
【０００７】
本発明におけるさらなる目的は、患者にＸ線曝露又はそれに類似するものを実行するのに必要な時間を軽減するために、装置の使用を最適化することである。
【０００８】
本発明における別の目的は、装置の使用のために必要な人数を減少させることである。
【０００９】
本発明における更なる目的は、このような装置を使って、Ｘ線画像又はＸ線透過画像の形成に関する制御性を向上させることであり、結果として、装置の使用者に依存しない高い再現性をもたらすことである。
【００１０】
本発明の別の目的は、装置が導入された病院環境での情報トラフィックを向上させることである。
【００１１】
最後に、本発明の第一側面に関する適合性において、本装置は、以下の通り特徴付けられる。つまり、データーベースには、患者特異的なデーター及び検査特異的なデーターが含まれ、コンピューターは、所望の検査プログラムを、患者特異的なデーター及び検査特異的なデーターに依存して実行すべくアレンジされ、検査特異的なデーターが、データーベースから取り出され、データーベースから取り出された患者特異的なデーター及び検査特異的なデーターに依存して、制御部材を実行させ、部材のセッティングが、部材のグループから選択されることを特徴とする。
【００１２】
患者特異的データーは、好ましくは、検査する患者の身元、生理学的特徴、及び体部分についての情報に関連する。
【００１３】
検査特異的データーは、好ましくは、検査日、Ｘ線、検出器、及び診察台に関する所望の前もったセッティング、並びに実行する試験プログラムについてのデーターに関連する。
【００１４】
従って、検査は、実用的に完全に自動化された様式にて実施可能である；「検査」という言葉の意味において、広義の意味にて理解されるべきであることを記すべきである。この種の検査には、本質的に、患者に関して形成される一つ以上の画像を取得するフェーズ、形成された画像を検討する検討フェーズ、並びに放射医によって評価されるべく、形成された画像の選別物が印刷され、かつ選別物又はすべての画像を通常電子型を使って保存が行われる、印刷又は保存フェーズを含む。
【００１５】
好ましくは、コンピューターは、所望の検査プログラムに依存して、選抜するためにアレンジされ、画像の選択を含むレポートが得られる。従って、検査の一部としてのレポートは、高度に自動化された様式にて選別可能である。従って、使用者は、このレポートから取得された試験データーに関する結論を記述する必要がない。
【００１６】
検査フェーズの実行において、本発明におけるコンピューター制御された装置は、任意で、少なくとも一つのモニター、保管部品、及びプリンターなる関連する制御物を供する。
【００１７】
本発明の更なる一面に関する適合性において、本装置は、使用者に、患者特異的データー及び検査特異的データーに依存して、コンピューター制御された指示を表示すべくアレンジされる。つまり、この指示は、所望の検査プログラムの進行を参照する。
【００１８】
従って、検査プログラムの前もったセッティング及びさらなる実行は、完全にコンピューターの制御下において実行可能であることが保障され、使用者は、この目的のために必要なさらなる制御に関する、それぞれの時点における支持を与えられる。したがって、検査時におけるミスは、非常に効果的に防ぐことができる。
【００１９】
本発明は、非限定的な実施例及び添付した図面に対する参照文によって、この後に詳細に述べられる。図面において：
図１は、一連の患者に対しＸ線分析を行うために機能する一次的な連続した制御を象徴的に示した図である；
図２は、本発明におけるコンピューター制御された装置に関する図式である。
【００２０】
例えば、自己含有型のＸ線検査装置を使ったＸ線検査のシリーズを実行するために、検査される第一の患者セット１（図１参照）を定義する。図２に示した装置５のコンピューター６にインプットするために、患者特異的データーは、患者１に関し取得される。それぞれの患者に関して、この情報は、患者の身元、例えば体重などの生理学的特徴、及び検査される体部分に関連する。この情報は、例えば、病院の情報システムから自動的に取得されてもよい。
【００２１】
患者がこの様式に則って特徴付けられた後、図１のセクション２に示したように、装置を使って、それぞれの患者個々に実際の試験が実施可能である。
【００２２】
特に、Ｘ線源７（図２参照）及び診察台９は、特定の患者に関連した検査特異的データーに依存して、調節される；このセッティングは、患者特異的データーに依存してもよい。続いて、患者の個々の体部分が検査される。図１の番号３にて参照したセクションでは、得られる画像の使用者による分析が示されている。この面において、様々な可能性が存在する。例えば、比較的に、患者の相互作用検査、つまり、例えば、検査中調節された診察台９のセッティングのための検査など、を可能にするＸ線透過画像を作成するために、低い放射量を使用することが可能である。また、装置５のモニター１５にて直接検討可能な単一画像を形成することも可能である。
【００２３】
図のセクション４に示すのは、上述のリアルタイム検討に続いて、図２のプリンター１５を介して、利用可能な画像の作成による、又は、電子保管部品１４に形成した画像を保存による、レポート及び保管である。
【００２４】
図２は、密接に関連した導入された上述の部材である。Ｘ線分析を実施し、上述の検討されたものとしてＸ線画像若しくはＸ線透過画像を作成するための装置５の中央部は、様々な部材が結合したコンピューター６で構成される。図２は、Ｘ線源７、コリメーター８、診察台９、及びＸ線分析装置のコアを共に構成する検出器１０を示している。また、画像加工部材１１、モニター１２、ユーザーインターフェース１３、保管部品１４、及びプリンター１５を示している；さらに、例えば、どこかに導入されている病院情報システム１６又はモニター装置１７へのアクセスを可能にするデーターリンクもまた、コンピューター６に接続されてもよい。
【００２５】
コンピューター６は、当業者に公知の様式にて、Ｘ線源７及び診察台９のセッティングを保存するためのデーターベースを供される；コンピューター６はまた、当業者に公知の様式にて、このデーターベースに保存されたセッティングを認識するための調節部材を供される（例えば、独国特許発明第Ａ１９６２５４１０号明細書を参照）。
【００２６】
上述したように、コンピューター６のデーターベースはまた、患者特異的データー及び検査特異的データーを含み、コンピューターは、データーベースから取得したデーターに依存して、所定の検査プログラムを実行するためにアレンジされる；コンピューター６の調節部材は、上述の患者特異的データー及び検査特異的データーに依存して、装置５の様々な部材に関するセッティングを認識する。このようなセッティングは、Ｘ線源７、コリメーター８、診察台９、及び検出器１０のセッティングに関連するのみならず、検出器１０由来の画像を加工する画像加工部材１１の制御にも関連する。コンピューター６の調節部材は、また、形成された画像をモニター１２に表示する順序及び速度をも決定する；また、表示する形式を決定し、かつプリンター１５及び保管システム１４の調節も行う。上記したように、病院情報システム１６への接続も可能である。例えば、これらを基礎に、実行する制御に基づいて直接、請求書を作成することも可能である。
【００２７】
個々の患者に関して実行される制御された検査の完了に対して、コンピューター６のデーターベースから取得した患者特異的データー及び検査特異的データーに依存して、装置５の使用者へのコンピューター制御された指示を存在させるためにアレンジされたユーザーインターフェース１３もまた供される；このような指示は、所定の検査プログラムの実行を完全に参照する。
【００２８】
システムのコンピューター６から取得可能な所定の検査プログラムに関連する限りは、検査される患者の体部分に関連する検査のために形成される適用グループである様式によって、このようなプログラムのグループを、集めることは望ましい。例えば、一つの検査グループは、消化管、次に血管系、第三に神経系などに関連してもよい。
【００２９】
それぞれの検査グループにおいて、更なる応用は、識別可能である。例えば、「消化管」に関する検査グループに関して、結腸、食道、胃などのように区別可能である。この種の様々な応用に関して、コンピューター６のデーターベースは、関連するＸ線源７のセッティング及び診察台９のセッティングを含む；モニター１２及び１７を介した表示、並びに保管部品１４における保存は、上述した様式にて、自動的に実施可能である。装置の様々な使用者に関する好ましいセッティングもまた、考慮可能である。
【図面の簡単な説明】
【００３０】
【図１】一連の患者に対しＸ線分析を行うために機能する一次的な連続した制御を象徴的に示した図である。
【図２】本発明におけるコンピューター制御された装置に関する図式である。
【国際公開パンフレット】
2004526542.tif 000003
2004526542.tif 000004
2004526542.tif 000005
2004526542.tif 000006
2004526542.tif 000007
2004526542.tif 000008
2004526542.tif 000009
2004526542.tif 000010
2004526542.tif 000011
【国際調査報告】
2004526542.tif 000012
2004526542.tif 000013